【手続補正書】
【提出日】平成20年4月9日(2008.4.9)
【手続補正１】
【補正対象書類名】明細書
【補正対象項目名】発明の名称
【補正方法】変更
【補正の内容】
【発明の名称】供給パックおよび組合せパック
【手続補正２】
【補正対象書類名】明細書
【補正対象項目名】特許請求の範囲
【補正方法】変更
【補正の内容】
【特許請求の範囲】
【請求項１】  （ｉ）  硬化可能な製品を保持する容器と、
（ｉｉ）  前記容器内に保持された硬化可能な製品と、
（ｉｉｉ）  前記容器に取り付けられ、または一体に形成されたノズル組立体と、
を有し、前記ノズル組立体が、
ａ）製品を供給するための出口ノズルであって、製品を前記容器から取り出すための第１の吸入端部と、供給開口部が形成された第２の供給端部と、前記出口ノズル上で前記供給開口部の周りに形成された口部とを有し、導管が形成されたノズル本体であって、該ノズル本体の内側の表面に囲まれ、前記吸入端部と前記供給開口部とを連通させるノズル本体を備えている出口ノズルと、
ｂ）前記出口ノズルの前記供給端部を閉じるキャップ本体、および前記出口ノズルの供給端部が挿入可能なハウジングを有する切離しキャップであって、前記キャップ本体が、前記出口ノズルの前記供給開口部を閉じるように、前記出口ノズルと一体に形成されて、少なくとも１つのもろい連結部によって前記出口ノズルに接続される第１の位置と、前記もろい連結部が切り離されて、前記キャップを取り外すことを可能にし、したがって前記供給開口部を開き、それによって製品を前記出口ノズルを通して供給することを可能にする第２の位置を有する切離しキャップとを有しており、
前記キャップ本体および前記出口ノズルは、後で前記切離しキャップを前記出口ノズルに固定して前記出口開口部を閉じるはめ合い構造を有し、該はめ合い構造がスナップはめ係合である供給パックにおいて、
前記スナップはめ係合は、前記キャップと前記容器の相対回転によって係合状態が解除可能であり、前記出口ノズルおよび前記キャップは、前記キャップと前記出口ノズルとの相対回転が前記キャップを変形させるような形状をしている供給パック。
【請求項２】  前記ノズル組立体は、半径方向外側に狭くなり、前記ノズルと前記キャップ本体との間の前記供給開口部の周りに形成されており、前記キャップを前記ノズルから切り離すのを可能にし、したがって前記もろい連結部を切り離す弱くされた接合部を前記キャップと前記ノズルとの間に形成している内側の環状クロッチを有している、請求項１に記載の供給パック。
【請求項３】  前記出口ノズルは容器の一体部分を形成している、請求項１または２に記載の供給パック。
【請求項４】  前記内側のクロッチは、一方の側がキャップ本体の表面によって形成され、他方の側が前記ノズルの表面によって形成された概ねＶ字形である、請求項３に記載の供給パック。
【請求項５】  前記クロッチの半径方向外向きの表面は、前記もろい連結部の方へ収束している、請求項４に記載の供給パック。
【請求項６】  前記クロッチの一方の側を形成するノズル上の表面は、前記ノズルの前記内側の表面から、または前記ノズルの前記内側の表面に近い位置から前記ノズルの前記口部まで延びている、請求項４または５に記載の供給パック。
【請求項７】  前記内側の環状のクロッチの一方の側は、前記導管を形成する前記ノズルの前記内側の表面から前記ノズルの前記口部まで延びる斜面によって、少なくとも部分的に形成されている、請求項３から６のいずれか一項に記載の供給パック。
【請求項８】  前記斜面は環状である、請求項７に記載の供給パック。
【請求項９】  前記環状の斜面は概ね円錐台状である、請求項８に記載の供給パック。
【請求項１０】  前記容器は、半径方向内向きの方向に狭くなり、前記ノズルと前記キャップ本体との間で、前記供給開口部の周りに形成された外側の環状のクロッチを備えている、請求項１から９のいずれかに記載の供給パック。
【請求項１１】  前記外側のクロッチは、一方の側が前記キャップ本体の表面によって形成され、他方の側が前記ノズルの表面によって形成された概ねＶ字形である、請求項１０に記載の供給パック。
【請求項１２】  前記クロッチの半径方向内向きの表面は、前記Ｖ字形の頂点を形成するように前記もろい連結部の方へ収束している、請求項１１に記載の供給パック。
【請求項１３】  前記外側のクロッチの一方の側を形成する前記ノズル上の前記表面は、前記ノズルの外側の表面から、前記ノズル上の、前記ノズルの前記口部に近い位置または前記ノズルの前記口部の位置まで延びていている、請求項１１または１２に記載の供給パック。
【請求項１４】  前記容器およびノズル組立体は単一の部品として成形されている、請求項１から１３のいずれかに記載の供給パック。
【請求項１５】  前記容器およびノズル組立体は手持ち小瓶の形である、請求項１から１４のいずれかに記載の供給パック。
【請求項１６】  前記小瓶は、圧搾できるように変形可能なプラスチックで作られている、請求項１５に記載の供給パック。
【請求項１７】  前記切離しキャップは、それが切り離される前に前記出口ノズル上に逆さまの姿勢で保持される、請求項１から１６のいずれかに記載の供給パック。
【請求項１８】  前記キャップの外側の表面は前記ノズル上の前記供給開口部を閉じる、請求項１７に記載の供給パック。
【請求項１９】  前記供給開口部を閉じる前記キャップの前記外側の表面は、前記キャップ上に形成され、前記ノズルの前記口部とはまり合うくぼみまたはハウジングの内側の壁である、請求項１８に記載の供給パック。
【請求項２０】  前記切離しキャップは、切り離されたときに、前記キャップを前記ノズル上に置くために逆さまにできるように反転可能である、請求項１７から１９のいずれか一項に記載の供給パック。
【請求項２１】  前記容器上の前記対応するはめ合い構造とはまり合う前記キャップ上の構造は、前記ハウジング上に形成されている、請求項２０に記載の供給パック。
【請求項２２】  前記はめ合い構造は、１つまたは２つ以上の突起と、前記突起がはまる１つまたは２つ以上の対応するくぼみまたは溝によって形成されている、請求項２１に記載の供給パック。
【請求項２３】  前記キャップは、前記供給開口部を閉じる排出開口部はめ合い部分を有している、請求項１から２２のいずれかに記載の供給パック。
【請求項２４】  前記はめ合い部分は、前記容器の前記閉じ構造において前記供給開口部内に少なくとも部分的に突き出る、前記キャップの下面上の突出部分である、請求項２３に記載の供給パック。
【請求項２５】  前記突出部分は、前記開口部にはまるような形状である、請求項２４に記載の供給パック。
【請求項２６】  前記ノズルと前記キャップが共に長円形である、請求項１から２５のいずれかに記載の供給パック。
【請求項２７】  前記ノズルおよび前記キャップは、前記キャップを前記ノズルに対して所望の向きに案内する協働案内面を有している、請求項１から２６のいずれかに記載の供給パック。
【請求項２８】  前記協働案内面は、シートおよびシートはめ合い部分である、請求項２７に記載の供給パック。
【請求項２９】  各々が、次のブリスタに弱く取り付けられた一連の剥取りブリスタであって、各ブリスタは、ブリスタトレイと、前記ブリスタトレイ用の可撓性の剥離カバーとを有しており、前記剥離カバーと前記ブリスタトレイは、前記ブリスタを再び閉じるのを可能にする再密封手段手段によって取り付けられている一連の剥取りブリスタと、前記各ブリスタ内の、請求項１から２８のいずれかに記載の供給パックと、を有する組合せパック。
【請求項３０】  前記パックを剥がして開けるのを容易にする剥ぎ開けタブが各ブリスタ上に設けられている、請求項２９に記載の組合せパック。
【請求項３１】  ２つの可撓性材料層を、互いに離れた領域の周りで互いに密封することによって形成された一連の剥取りポーチであって、各ポーチは、次のポーチに弱く取り付けられており、前記ポーチを形成する材料の裂き開けを容易にする裂き開けくぼみを備えている一連の剥取りポーチと、前記各ポーチ内の、請求項１から２８のいずれかに記載の供給パックと、を有する組合せパック。
【手続補正３】
【補正対象書類名】明細書
【補正対象項目名】０００８
【補正方法】変更
【補正の内容】
【０００８】
Ｌｏｃｔｉｔｅ（アイルランド）Ｌｉｍｉｔｅｄは、手術用接着剤であるＩｎｄｅｒｍｉｌ（商標登録）と呼ばれる製品を販売している。この製品は、上述のヨーロッパ特許第０３２６５２９号に開示された小瓶に構造が類似している個々の小瓶に入れて販売のために展示される。この小瓶は、容器内にある製品を収容し、保持する中空の容器本体を有している。中空の容器本体は、製品を取出すことのできる出口ノズルを有している。出口ノズルは、容器本体から突き出て容器本体と一体に形成されている第１の吸入端部を有している。ノズルは、取出し開口部が形成された第２の供給端部と、ノズル上の取出し開口部の周りに形成された口部とを有している。装置のノズルは、ノズル本体に形成されノズル本体の内側の表面によって囲まれた導管を有するノズル本体を有しており、導管は、容器本体および供給開口部と連通している。小瓶は、出口ノズルの供給端部を閉じるキャップ本体を有する切離しキャップを有しており、切離しキャップは、キャップ本体が、出口ノズルの出口開口部を閉じるように出口ノズルと一体に形成され、少なくとも１つのもろい連結部によって出口ノズルに連結される第１の位置と、もろい連結部が切り離されて、キャップを取り外すことが可能になり、したがって出口開口部が開かれ、それによって製品を容器から取出すことが可能になる第２の位置とを有している。一旦取り外されたキャップは、逆さまにし、キャップおよびノズルの押込みばめ（摩擦）係合によって容器上に位置させることができる。材料をたくわえておくのに用いることのできる容器と共に使用される他のノズル組立体を提供することが望まれる。容器にたくわえられた製品の使用期限を延ばすために、貯蔵安定性を向上させる助けになる外側（保護）包装、特に店頭陳列に好都合な外側の包装を提供することが望ましい。
発明の目的
本発明の目的は、低コストの多数回使用パックを提供することである。特に、接着剤やその他の硬化可能な製品のような、環境の影響を受けやすい製品をたくわえるのに適したパックを製造することが望まれる。本発明の目的は、このような容器用の外側の包装を提供することである。
発明の概要
本発明は、
（ｉ）  硬化可能な製品を保持する容器と、
（ｉｉ）  前記容器内に保持された硬化可能な製品と、
（ｉｉｉ）  前記容器に取り付けられ、または一体に形成されたノズル組立体と、
を有し、前記ノズル組立体が、
ａ）製品を供給するための出口ノズルであって、製品を前記容器から取り出すための第１の吸入端部と、供給開口部が形成された第２の供給端部と、前記出口ノズル上で前記供給開口部の周りに形成された口部とを有し、導管が形成されたノズル本体であって、該ノズル本体の内側の表面に囲まれ、前記吸入端部と前記供給開口部とを連通させるノズル本体を備えている出口ノズルと、
ｂ）前記出口ノズルの前記供給端部を閉じるキャップ本体、および前記出口ノズルの供給端部が挿入可能なハウジングを有する切離しキャップであって、前記キャップ本体が、前記出口ノズルの前記供給開口部を閉じるように、前記出口ノズルと一体に形成されて、少なくとも１つのもろい連結部によって前記出口ノズルに接続される第１の位置と、前記もろい連結部が切り離されて、前記キャップを取り外すことを可能にし、したがって前記供給開口部を開き、それによって製品を前記出口ノズルを通して供給することを可能にする第２の位置を有する切離しキャップとを有しており、
前記キャップ本体および前記出口ノズルは、後で前記切離しキャップを前記出口ノズルに固定して前記出口開口部を閉じるはめ合い構造を有し、該はめ合い構造がスナップはめ係合である供給パックにおいて、
前記スナップはめ係合は、前記キャップと前記容器の相対回転によって係合状態が解除可能であり、前記出口ノズルおよび前記キャップは、前記キャップと前記出口ノズルとの相対回転が前記キャップを変形させるような形状をしている供給パックを提供する。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
本発明は、再使用可能な容器を提供するうえで特に有用である。本発明の供給パックは、キャップをノズルから容易に取り外し、その後キャップをノズルに再度取り付けることを可能にする。
【手続補正６】
【補正対象書類名】明細書
【補正対象項目名】００２１
【補正方法】変更
【補正の内容】
【００２１】
このように、本発明は、信頼性のあるシールを形成するようにノズルに容易に取り付け直される、再閉じ可能なキャップを備えている。容器とノズル組立体は、たとえばプラスチック材料から単一の部品として成形することができ、したがって、製造コストが比較的安い一体形成の容器が作られる。
【手続補正７】
【補正対象書類名】明細書
【補正対象項目名】００２３
【補正方法】変更
【補正の内容】
【００２３】
はめ合い構造は、キャップとノズルを相対的に回転させることによって、はめ合い位置から取り外すことが可能なスナップばめ構造である。ノズルが容器上に設けられるか、または容器と一体に形成されている場合には、キャップと容器を互いに対して回転させた場合にもはめ合い構造が取り外される。はめ合い構造が、キャップをノズルおよび／または容器に保持し、しかもキャップをノズルおよび／または容器から捩じり取るのが可能になるようにスナップばめされることが望ましい。この構成は、キャップをノズル（容器）上に位置させるか、またはノズルから取り外すのを特に容易にする。
【手続補正８】
【補正対象書類名】明細書
【補正対象項目名】００３０
【補正方法】変更
【補正の内容】
【００３０】
本発明はまた、次の剥取りブリスタ(blister)に弱く取り付けられた一連の剥取りブリスタと、各ブリスタ内の、本発明による供給パックとを備える組合せパックを提供する。各ブリスタは、ブリスタトレイと、ブリスタトレイ用の可撓性の剥離カバーとを有し、剥離カバーとブリスタトレイが、ブリスタを再び閉じるのを可能にする再密封可能手段によって取り付けられている。これは、さもないと劣化することがある製品の寿命を延ばすのを助けるうえで特に有用な特に有利な一実施態様である。これは、本発明の容器に貯えることができ、ブリスタパックのような外側保護パック内に容器を格納することによってその使用期限を延ばすことができる製品にも当てはまる。パックの剥ぎ開けを容易にする剥ぎ開けタブを各ブリスタ上に設けることが望ましい。このようなタブは、剥離コーナーまたはトレイ上にあってよい。
【手続補正９】
【補正対象書類名】明細書
【補正対象項目名】００３１
【補正方法】変更
【補正の内容】
【００３１】
さらに本発明は、２つの可撓性材料層を、離れた領域の周りで互いに密封することによって形成された一連の剥取りポーチと、各ポーチ内の、本発明による供給パックとを有する組合せパックを提供する。各ポーチ(poutch)は弱く次のポーチに取り付けられており、各ポーチが、ポーチを形成する材料の裂き開けを容易にする裂き開けくぼみを備えている。剥取りくぼみは、ユーザが内容物に手を届かせることができるようにパックを引き裂いて開けるのを容易にする。
【手続補正１０】
【補正対象書類名】明細書
【補正対象項目名】００３２
【補正方法】変更
【補正の内容】
【００３２】
ブリスタ型パックまたはポーチ型パックはストリップパックまたはアレイパックであると好適である。これは、容器を包装する本発明による特に好都合な一方法である。
【手続補正１１】
【補正対象書類名】明細書
【補正対象項目名】００５３
【補正方法】変更
【補正の内容】
【００５３】
ここで、本発明の参考形態を図１８に示す。参考形態では、図１８に示されているように、はめ合い構造は、ハウジング５０内に対応するねじを有する図１８のねじ７０などのねじであってよい。この参考形態では、構造がキャップ２０に類似しているキャップ７１は、キャップ２０の口部の卵形を有していない。キャップ７１とノズル７２は（相対的な回転を必要とする）相補的なねじによって互いにはまり合うので、ノズルとキャップのハウジング５０は概ね円錐状である。キャップ７１の構造は、他の点ではキャップ２０と同じである。
【手続補正１２】
【補正対象書類名】明細書
【補正対象項目名】図１
【補正方法】変更
【補正の内容】
【図１】
本発明の特徴を組み込んだ（開いたベースを有する）（充填されていない）容器の正面図である。
【手続補正１３】
【補正対象書類名】明細書
【補正対象項目名】図１８
【補正方法】変更
【補正の内容】
【図１８】
ねじの形のはめ合い構造をキャップおよびノズル上に有する、本発明の参考形態によるノズル組立体が組み込まれた容器の斜視図である。